(57)【要約】【課題】画像中の識別し辛い色を容易に識別できる色名出力装置、色名出力方法及び色名出力プログラムを提供すること。【解決手段】色名出力装置１は、処理対象色の指定を受け付ける指定部１１と、入力画像データのうち、処理対象色との色差が所定未満の同色領域を同定する同定部１２と、同色領域の各画素を、処理対象色とは異なる色に変換した出力画像データを生成する変換部１３と、処理対象色及び変換後の色について、各色の知覚情報が所定の色度図上で予め区分されたいずれの色相領域に属するかによって、当該色相領域に対応した色名を判定する判定部１４と、判定された色名の情報を、出力画像データと共に出力する出力部１５と、を備える。【選択図】図１
2015097370.tif 000002
【特許請求の範囲】
【請求項１】
処理対象色の指定を受け付ける指定部と、
入力画像データのうち、前記処理対象色との色差が所定未満の同色領域を同定する同定部と、
前記同色領域の各画素を、前記処理対象色とは異なる色に変換した出力画像データを生成する変換部と、
前記処理対象色、及び前記変換部による変換後の色について、各色の知覚情報が所定の色度図上で予め区分されたいずれの色相領域に属するかによって、当該色相領域に対応した色名を判定する判定部と、
前記判定部により判定された色名の情報を、前記出力画像データと共に出力する出力部と、を備える色名出力装置。
【請求項２】
入力画像データの各画素について、当該画素の知覚情報が所定の色度図上で予め区分されたいずれの色相領域に属するかによって、当該色相領域に対応した色名を判定する判定部と、
処理対象色の指定を受け付ける指定部と、
前記入力画像データのうち、前記処理対象色と色名が同一の同色領域を同定する同定部と、
前記同色領域の各画素を、前記処理対象色とは異なる色に変換した出力画像データを生成する変換部と、
前記同色領域に対する前記変換部による変換前後の色名の情報を、前記出力画像データと共に出力する出力部と、を備える色名出力装置。
【請求項３】
前記色相領域は、各色相の境界線を近似した関数によって区分される請求項１又は請求項２に記載の色名出力装置。
【請求項４】
前記判定部は、前記色度図上で定義された彩度に基づいて、前記色名を調整する請求項１から請求項３のいずれかに記載の色名出力装置。
【請求項５】
前記判定部は、明度に基づいて、前記色名を調整する請求項１から請求項４のいずれかに記載の色名出力装置。
【請求項６】
処理対象色の指定を受け付ける指定ステップと、
入力画像データのうち、前記処理対象色との色差が所定未満の同色領域を同定する同定ステップと、
前記同色領域の各画素を、前記処理対象色とは異なる色に変換した出力画像データを生成する変換ステップと、
前記処理対象色、及び前記変換ステップによる変換後の色について、各色の知覚情報が所定の色度図上で予め区分されたいずれの色相領域に属するかによって、当該色相領域に対応した色名を判定する判定ステップと、
前記判定ステップにより判定された色名の情報を、前記出力画像データと共に出力する出力ステップと、をコンピュータが実行する色名出力方法。
【請求項７】
入力画像データの各画素について、当該画素の知覚情報が所定の色度図上で予め区分されたいずれの色相領域に属するかによって、当該色相領域に対応した色名を判定する判定ステップと、
処理対象色の指定を受け付ける指定ステップと、
前記入力画像データのうち、前記処理対象色と色名が同一の同色領域を同定する同定ステップと、
前記同色領域の各画素を、前記処理対象色とは異なる色に変換した出力画像データを生成する変換ステップと、
前記同色領域に対する前記変換ステップによる変換前後の色名の情報を、前記出力画像データと共に出力する出力ステップと、をコンピュータが実行する色名出力方法。
【請求項８】
処理対象色の指定を受け付ける指定ステップと、
入力画像データのうち、前記処理対象色との色差が所定未満の同色領域を同定する同定ステップと、
前記同色領域の各画素を、前記処理対象色とは異なる色に変換した出力画像データを生成する変換ステップと、
前記処理対象色、及び前記変換ステップによる変換後の色について、各色の知覚情報が所定の色度図上で予め区分されたいずれの色相領域に属するかによって、当該色相領域に対応した色名を判定する判定ステップと、
前記判定ステップにより判定された色名の情報を、前記出力画像データと共に出力する出力ステップと、をコンピュータに実行させるための色名出力プログラム。
【請求項９】
入力画像データの各画素について、当該画素の知覚情報が所定の色度図上で予め区分されたいずれの色相領域に属するかによって、当該色相領域に対応した色名を判定する判定ステップと、
処理対象色の指定を受け付ける指定ステップと、
前記入力画像データのうち、前記処理対象色と色名が同一の同色領域を同定する同定ステップと、
前記同色領域の各画素を、前記処理対象色とは異なる色に変換した出力画像データを生成する変換ステップと、
前記同色領域に対する前記変換ステップによる変換前後の色名の情報を、前記出力画像データと共に出力する出力ステップと、をコンピュータに実行させるための色名出力プログラム。
【発明の詳細な説明】
【技術分野】
【０００１】
本発明は、画像データの色名を出力する装置、方法及びプログラムに関する。
【背景技術】
【０００２】
テレビのデータ放送画面の色表示は、ＢＭＬプログラム中で色名に対応したコード（ＡＲＩＢ  ＳＴＤ−Ｂ．２４“デジタル放送におけるデータ放送符号化方式と伝送方式”）を、Ｗｅｂページ画面の色表示は、ＨＴＭＬプログラム中で色名に対応したコードを記述することで実現される。
【０００３】
携帯型カメラで撮影した画像の指定した点の映像レベルを色空間Ｌ＊ａ＊ｂ＊の座標値に変換し、座標値と色名の対応ファイルから、該当する慣用色名と系統色名を表示、又は音声で示すシステムが提案されている（例えば、特許文献１参照）。また、この色名認識処理により、色覚異常者支援用に色変換した前後の色名を通知できる装置が提案されている（例えば、特許文献２参照）。
画像データの各点の映像レベルを色空間Ｌ＊ａ＊ｂ＊の座標値に変換し、色名データベースで座標値と色名を対応付けると共に、色変換前後で明度、彩度、色相が０でない点に関して、変化の大きさも同時に表示する装置が提案されている（例えば、特許文献３参照）。
【０００４】
若年者から高齢者まで幅広いユーザに見易いディプレイ表示装置として、画像の鮮鋭度を上げる処理と色コントラストの低下を補正する処理からなる補正表示システムが提案されている（例えば、非特許文献１、特許文献４参照）。この他にも、視覚障害者の視野を再現又は補正する方法が提案されている（例えば、特許文献５参照）。
高齢者や色覚異常者が見易い画面配色を施すため、画面の見辛い領域を検出して、見易い色にデザイナが修正できるようにする支援装置が提案されている（例えば、特許文献６、特許文献７参照）他、Ｗｅｂページの作り方が視覚障害者や色覚障害者にとっても読み易くなっているかを診断するため、背景と文字を手動で指定して両者の明度差を判定するソフトウェアが開発されている（例えば、非特許文献２参照）。
画像内のエッジを検出し、例えば文字の周辺部を太くして、色覚異常者に見易くする装置が提案されている（例えば、特許文献８参照）。
【先行技術文献】
【特許文献】
【０００５】
【特許文献１】特開２００５−００４４９５号公報
【特許文献２】特開２００７−１１５１２３号公報
【特許文献３】特開２０１０−４５６７６号公報
【特許文献４】特開平９−９７３３３号公報
【特許文献５】特開２００３−５８８７５号公報
【特許文献６】特許第４９５０８６７号公報
【特許文献７】特開２０１３−１４５５１４号公報
【特許文献８】特開２０１３−１１０６１７号公報
【非特許文献】
【０００６】
【非特許文献１】樋口他、“加齢による視覚特性の低下を考慮した補正表示システム”、映像情報メディア学会誌Ｖｏｌ．５３、Ｎｏ．９、ｐｐ．１２８５−１２９１（１９９９）
【非特許文献２】高本他、“Ｗｅｂアクセシビリティ診断ツール”、ＦＵＪＩＴＳＵ．５６，２，ｐｐ．１６７−１７３（０３．２００５）
【発明の概要】
【発明が解決しようとする課題】
【０００７】
テレビのデータ放送画面又はＷｅｂページ画面等で用いられる色名に対応したコードは、カメラで撮影した画像には付与されていない。
画像から色名を判定する場合、特許文献１〜３では、色空間Ｌ＊ａ＊ｂ＊での座標値と色名との対応付けが与えられているか、あるいは、明度、彩度、色相をそれぞれ等分に分割して色名が付与される。このため、実際に存在する色以外の色を含めた等分割である上、等間隔でない人間の色知覚特性に合った色名とはならない虞がある。
【０００８】
本発明は、画像中の識別し辛い色を容易に識別できる色名出力装置、色名出力方法及び色名出力プログラムを提供することを目的とする。
【課題を解決するための手段】
【０００９】
本発明に係る色名出力装置は、処理対象色の指定を受け付ける指定部と、入力画像データのうち、前記処理対象色との色差が所定未満の同色領域を同定する同定部と、前記同色領域の各画素を、前記処理対象色とは異なる色に変換した出力画像データを生成する変換部と、前記処理対象色、及び前記変換部による変換後の色について、各色の知覚情報が所定の色度図上で予め区分されたいずれの色相領域に属するかによって、当該色相領域に対応した色名を判定する判定部と、前記判定部により判定された色名の情報を、前記出力画像データと共に出力する出力部と、を備える。
【００１０】
この構成によれば、色名出力装置は、入力画像内で、利用者が指定した部分と同色の同色領域を同定し、これら同色領域を別の色に変換し、色度図上で区分された領域によって判定された変換前後の色名を画像に付加又は音声で示す。これにより、利用者は、識別し辛い色を容易に識別できる。
【００１１】
本発明に係る色名出力装置は、入力画像データの各画素について、当該画素の知覚情報が所定の色度図上で予め区分されたいずれの色相領域に属するかによって、当該色相領域に対応した色名を判定する判定部と、処理対象色の指定を受け付ける指定部と、前記入力画像データのうち、前記処理対象色と色名が同一の同色領域を同定する同定部と、前記同色領域の各画素を、前記処理対象色とは異なる色に変換した出力画像データを生成する変換部と、前記同色領域に対する前記変換部による変換前後の色名の情報を、前記出力画像データと共に出力する出力部と、を備える。
【００１２】
この構成によれば、色名出力装置は、入力画像内で、利用者が指定した部分と同色の同色領域を同定し、これら同色領域を別の色に変換し、色度図上で区分された領域によって判定された変換前後の色名を画像に付加又は音声で示す。これにより、利用者は、識別し辛い色を容易に識別できる。
さらに、色名出力装置は、利用者から色の指定を受け付けるのに先行して、判定部により予め各画素に色名を付与できる。したがって、画素間の色差の演算が不要となるため、色名出力装置は、同定部による処理負荷を低減できると共に、色名を出力するための全体の処理速度を高めることができる。
【００１３】
前記色相領域は、各色相の境界線を近似した関数によって区分されてもよい。
【００１４】
この構成によれば、色名出力装置は、色度図上における各色相の領域を、各色相の境界線を近似した関数によって区分するので、色度図上の座標に基づいて、色知覚特性に応じた色名を、容易に精度良く判定できる。
【００１５】
前記判定部は、前記色度図上で定義された彩度に基づいて、前記色名を調整してもよい。
【００１６】
この構成によれば、色名出力装置は、色度図上で定義された彩度によって色名を調整するので、細分化した色名を適切に出力できる。
【００１７】
前記判定部は、明度に基づいて、前記色名を調整してもよい。
【００１８】
この構成によれば、色名出力装置は、明度によって色名を調整するので、細分化した色名を適切に出力できる。
【００１９】
本発明に係る色名出力方法は、処理対象色の指定を受け付ける指定ステップと、入力画像データのうち、前記処理対象色との色差が所定未満の同色領域を同定する同定ステップと、前記同色領域の各画素を、前記処理対象色とは異なる色に変換した出力画像データを生成する変換ステップと、前記処理対象色、及び前記変換ステップによる変換後の色について、各色の知覚情報が所定の色度図上で予め区分されたいずれの色相領域に属するかによって、当該色相領域に対応した色名を判定する判定ステップと、前記判定ステップにより判定された色名の情報を、前記出力画像データと共に出力する出力ステップと、をコンピュータが実行する。
【００２０】
本発明に係る色名出力方法は、入力画像データの各画素について、当該画素の知覚情報が所定の色度図上で予め区分されたいずれの色相領域に属するかによって、当該色相領域に対応した色名を判定する判定ステップと、処理対象色の指定を受け付ける指定ステップと、前記入力画像データのうち、前記処理対象色と色名が同一の同色領域を同定する同定ステップと、前記同色領域の各画素を、前記処理対象色とは異なる色に変換した出力画像データを生成する変換ステップと、前記同色領域に対する前記変換ステップによる変換前後の色名の情報を、前記出力画像データと共に出力する出力ステップと、をコンピュータが実行する。
【００２１】
本発明に係る色名出力プログラムは、処理対象色の指定を受け付ける指定ステップと、入力画像データのうち、前記処理対象色との色差が所定未満の同色領域を同定する同定ステップと、前記同色領域の各画素を、前記処理対象色とは異なる色に変換した出力画像データを生成する変換ステップと、前記処理対象色、及び前記変換ステップによる変換後の色について、各色の知覚情報が所定の色度図上で予め区分されたいずれの色相領域に属するかによって、当該色相領域に対応した色名を判定する判定ステップと、前記判定ステップにより判定された色名の情報を、前記出力画像データと共に出力する出力ステップと、をコンピュータに実行させる。
【００２２】
本発明に係る色名出力プログラムは、入力画像データの各画素について、当該画素の知覚情報が所定の色度図上で予め区分されたいずれの色相領域に属するかによって、当該色相領域に対応した色名を判定する判定ステップと、処理対象色の指定を受け付ける指定ステップと、前記入力画像データのうち、前記処理対象色と色名が同一の同色領域を同定する同定ステップと、前記同色領域の各画素を、前記処理対象色とは異なる色に変換した出力画像データを生成する変換ステップと、前記同色領域に対する前記変換ステップによる変換前後の色名の情報を、前記出力画像データと共に出力する出力ステップと、をコンピュータに実行させる。
【発明の効果】
【００２３】
本発明によれば、画像中の識別し辛い色が容易に識別可能となる。
【図面の簡単な説明】
【００２４】
【図１】第１実施形態に係る色名出力装置の構成を示すブロック図である。
【図２】マンセル表色系データの分布を、色相毎に色度図にプロットした様子を示す図である。
【図３】天気予報で使用している画像の一例を示す図である。
【図４】色変換後の出力画像の一例を示す図である。
【図５】第２実施形態に係る色名出力装置の構成を示すブロック図である。
【発明を実施するための形態】
【００２５】
［第１実施形態］
以下、本発明の第１実施形態について説明する。
本実施形態の色名出力装置１は、例えばテレビの気象予報画面、データ放送画面、Ｗｅｂページに埋め込まれた画像又はカメラで撮影した画像等を入力とし、利用者が指定した部分又は色名群から選択した色と同色の領域を同定し、これらの領域を別の色に変換し、変換前後の色名を画像と共に文字又は音声で出力する。
【００２６】
図１は、色名出力装置１の構成を示すブロック図である。
色名出力装置１は、指定部１１と、同定部１２と、変換部１３と、判定部１４と、出力部１５とを備える。
【００２７】
指定部１１は、色名出力処理における処理対象色の指定を受け付ける。具体的には、例えば、利用者がマウス又はタッチパネル等で選択した入力画像データ内の点（画素）の色、あるいは、予め設けられた所定の色名群から選択した色が処理対象色となる。
【００２８】
同定部１２は、入力画像データのうち、処理対象色との色差が所定未満の同色領域を同定し、同色領域の位置情報（座標）と画像データ（赤信号Ｒ、緑信号Ｇ、青信号Ｂのレベル情報）を出力する。
具体的には、同定部１２は、例えば、入力画像データの水平方向又は垂直方向に端から処理対象色とＲＧＢ画素レベルを比較し、差分が予め設定された値より小さい画素については、同色領域の画素の位置情報として画像データと共に出力する。
【００２９】
また、同定部１２は、人間の知覚に合致したＣＩＥ１９７６Ｌ＊ａ＊ｂ＊表色系又はＣＩＥ１９７６Ｌ＊ｕ＊ｖ＊表色系で提案されている色差式を利用してもよい（日本色彩学会編、新編色彩科学ハンドブック、第２版、ｐｐ．２７５−２７７）。
例えば、Ｌ＊ａ＊ｂ＊表色系では、下式によりデータ変換と２点（点１及び点２）間の色差ΔＥが導出される。
Ｌ＊＝１１６（Ｙ／Ｙｎ）１／３−１６
ａ＊＝５００［（Ｘ／Ｘｎ）１／３−（Ｙ／Ｙｎ）１／３］
ｂ＊＝２００［（Ｙ／Ｙｎ）１／３−（Ｚ／Ｚｎ）１／３］
ΔＥ＝√｛（Ｌ＊１−Ｌ＊２）２＋（ａ＊１−ａ＊２）２＋（ｂ＊１−ｂ＊２）２｝
なお、Ｘ、Ｙ、Ｚは、ＲＧＢ表色系から変換されるＸＹＺ表色系での値であり、Ｘｎ、Ｙｎ、Ｚｎは、基準となるホワイトポイントの値である。
【００３０】
同定部１２は、処理対象色との色差ΔＥが予め設定された値より小さい画素の位置情報を、同色領域の位置情報として画像データと共に出力してもよい。この場合、同色領域の位置情報と画像データ（赤信号Ｒ、緑信号Ｇ、青信号Ｂのレベル情報、及びＬ＊、ａ＊、ｂ＊等の知覚情報）とを出力する。
【００３１】
変換部１３は、同定部１２から出力された同色領域の画像データを知覚情報に変換した後、この同色領域の各画素を処理対象色とは異なる色に変換し、同色領域の位置情報と画像データ（赤信号Ｒ、緑信号Ｇ、青信号Ｂのレベル情報、及びＬ＊、ａ＊、ｂ＊等の知覚情報）とを含む出力画像データを生成する。
なお、変換部１３は、同定部１２から知覚情報を取得した場合、画像データから知覚情報への変換処理を省略できる。
【００３２】
ここで、変換部１３は、同色領域の各画素を、例えば、処理対象色の反対色（ａ＊を−ａ＊、ｂ＊を−ｂ＊）に変換することとしてよい。あるいは、変換部１３は、同色領域の各画素を、白色又は黒色等の既定の色に変換してもよい。
【００３３】
判定部１４は、処理対象色、及び変換部１３による変換後の色について、各色の知覚情報が所定の色度図（例えば、ｘｙ色度図、又はａ＊ｂ＊色度図）上で予め区分されたいずれの色相領域に属するかによって、この色相領域に予め対応付けて付与された色名を判定する。これにより、判定部１４は、原画像において指定された領域の色名と、変換色の色名とを出力する。
色相領域は、実在する色に関する人間の色知覚特性に基づき、各色相の境界線を近似して定式化した関数によって区分される。
【００３４】
また、判定部１４は、明度（例えば、マンセル表色系におけるＶ、又はＸＹＺ表色系におけるＹ）、及び色度図上で定義された彩度（例えば、後述のＣ＊）に基づいて、色名を調整する。
【００３５】
出力部１５は、判定部１４により判定された色名の情報を、出力画像データと共に出力する。
具体的には、出力部１５は、例えば、処理対象色の色名と変換色の色名とを、変換部１３から出力された出力画像データに重ねて表示、又は音声で出力する。このとき、出力部１５は、選択された画素若しくは領域、又は同色領域と対応付けた色名の表示を行うことが好ましい。
また、出力部１５は、入力画像データ及び出力画像データを交互に表示し、原画色と変換色とをブリンクさせてもよい。この場合、出力部１５は、原画像に対する色名だけを表示してもよい。
【００３６】
次に、判定部１４による色名判定方法を詳細に説明する。
人間の知覚に合致したマンセル表色系では、色は３属性（色相Ｈ、明度Ｖ、彩度Ｃ）で表される。例えば、色相、明度、彩度に関して細分化された実在する２７３４色について、ｘｙ色度点データが公開されている（Ｍｕｎｓｅｌｌ  Ｒｅｎｏｔａｔｉｏｎ  Ｄａｔａ、［ｏｎｌｉｎｅ］、［平成２５年９月３０日検索］、インターネット＜ｈｔｔｐ：／／ｗｗｗ．ｃｉｓ．ｒｉｔ．ｅｄｕ／ｒｅｓｅａｒｃｈ／ｍｃｓｌ２／ｏｎｌｉｎｅ／ｍｕｎｓｅｌｌ．ｐｈｐ＞）。マンセル表色系での実在する色データは、球状の色空間ではなく、歪な空間となっている。
【００３７】
図２Ａ〜Ｊは、マンセル表色系データの分布を、色相毎にＬ＊ａ＊ｂ＊空間のａ＊ｂ＊色度図にプロットした様子を示す図である。
【００３８】
ａ＊ｂ＊色度図による色名判定方法では、色相Ｈは１０種類、明度Ｖは９種類、彩度ＣはＨ及びＶに依存して数は異なるが、最大で１９種類に分けられる。色相名を１０種類で出力する場合、図２に示す各分布について両外枠を表す関数ｆを、以下のように定義する。
ｂ＊＝ｆ（ａ＊）
この関数ｆは、各分布に従い、線形近似、多項式近似又は指数近似等により得られる。
なお、色相Ｈが大きくなるに従って分布は反時計回りに移動しており、隣接する色相の分布が重なる場合、輪郭部（例えば、いずれかの外枠、又は双方の中間線）を、離れている場合、いずれかの外枠（例えば、１０Ｇ等、色相Ｈが最大の分布）を、色相の境界として関数ｆにより近似する。
【００３９】
例えば、緑色Ｇについて、色相Ｈが最小の分布、すなわち黄緑色ＧＹとの境界線を近似した関数を、
ｂ＊＝ｆ＿ｍｉｎＧ（ａ＊）
とし、色相Ｈが最大の分布、すなわち青緑色ＢＧとの境界線を近似した関数を、
ｂ＊＝ｆ＿ｍａｘＧ（ａ＊）
とする。
また、色名判定を行う画素のａ＊ｂ＊色度図上の点を（ａ０＊，ｂ０＊）とする。
【００４０】
このとき、「ａ０＊＜０」かつ「ｂ０＊＞０」ならば、対象の画素はＹ（黄色）、ＧＹ（黄緑色）、Ｇ（緑色）のいずれかであり、「ｂ０＊＜ｆ＿ｍｉｎＧ（ａ０＊）」の場合、判定部１４は、対象の画素は「緑色」の可能性ありと判定する。
また、「ｂ０＊＞ｆ＿ｍｉｎＧ（ａ０＊）」の場合、対象の画素はＹ（黄色）又はＧＹ（黄緑色）であり、同様の処理をＧＹに適用すれば、判定部１４は、対象の画素が「黄色」又は「黄緑色」のいずれの可能性があるかを判定できる。
【００４１】
次に、判定部１４は、上記の色相の判定結果に対して、彩度Ｃ＊による調整を行う。
判定部１４は、「緑色」の可能性ありと判定した色度図上の点（ａ０＊，ｂ０＊）から、彩度Ｃ＊を、以下のように算出する。
Ｃ＊＝（ａ０＊２＋ｂ０＊２）１／２
【００４２】
「Ｃ＊＜予め設定した下限値（例えば、１２）」の場合、判定部１４は、対象の画素を、「緑色」ではなく「灰色」の可能性ありと判定する。
「Ｃ＊＞予め設定した上限値」の場合、判定部１４は、対象の画素を、「鮮やかな緑色」又は「濃い緑色」の可能性ありと判定する。
【００４３】
さらに、判定部１４は、上記の色相の判定結果及び調整結果に対して、明度Ｖによる調整を行う。
判定部１４は、「灰色」の可能性がある場合、Ｖが大きければ（例えば、７以上又は８以上）、「白色」、「白味掛かった灰色」又は「明るい灰色」等と判定し、Ｖが小さければ（例えば、２以下又は３以下）、「黒色」、「黒味掛かった灰色」又は「暗い灰色」等と判定する。
例えば、判定部１４は、「Ｖ≧９」かつ「Ｃ＊≦下限値」の場合、「白」と、「Ｖ≦１」かつ「Ｃ＊≦下限値」の場合、「黒」と判定してもよい。
【００４４】
また、判定部１４は、「緑色」の可能性がありと判定し、「予め設定した下限値≦Ｃ＊≦予め設定した上限値」の場合、Ｖが大きければ（例えば、７以上又は８以上）、「明るい緑色」又は「白味掛かった緑色」と修飾名を判定し、Ｖが小さければ（例えば、２以下又は３以下）、「暗い緑色」又は「黒味掛かった緑色」と修飾名を判定する。
【００４５】
ここで、明度Ｖは、ＸＹＺ表色系の輝度Ｙと対応関係が定義されており、Ｖ＝１〜９は、それぞれＹ＝（０．０１２１，０．０３１２６，０．０６５５５，０．１２，０．１９７７，０．３００５，０．４３０６，０．５９１，０．７８６６）である。
【００４６】
なお、判定部１４は、明度Ｖ、又はＶのグループ（例えば、１〜３、４〜６、７〜９）毎の複数の分布図それぞれに基づいて色相Ｈの境界線を設定し、色名を判定してもよい。色度図上の分布は、色相Ｈが同一でも明度Ｖにより大きく変動する場合があるため、明度Ｖ毎の判定基準が設けられることにより色相判定の精度向上が期待できる。
【００４７】
本実施形態における色名は一例である。色名は、命名する全体数から決めればよく、また、ＪＩＳ慣用名（ＪＩＳ  Ｚ  ８１０２：２００１  物体色の色名）を利用して決めることもできる。
また、本実施形態の色名出力装置１は、ａ＊ｂ＊色度図を利用したが、ｘｙ色度図を利用して同様の処理を行うこともできる。
【００４８】
本実施形態によれば、色名出力装置１は、例えば、テレビの気象予報画面、データ放送画面、Ｗｅｂページに埋め込んだ画像、カメラで撮影した画像等で、利用者が指定した部分と同色の同色領域を同定し、これら同色領域を別の色に変換し、色度図上で区分された領域によって判定された変換前後の色名を画像に付加又は音声で示す。これにより、利用者は、識別し辛い色を容易に識別できる。
【００４９】
図３は、天気予報で使用している画像の一例を示す図である。
地域毎の気温が範囲に応じて色分けされているが、利用者の色覚特性により、異なる気温範囲の色の区別が付き難い場合がある。この場合に、利用者により選択された指定点２０に対して、同色領域２１が同定される。
【００５０】
図４は、色変換後の出力画像の一例を示す図である。
同色領域２１は、元の色とは異なる色に変換され、さらに、変換前後の色名２２が表示されている。
これにより、利用者は、変換後の色と、他の気温範囲の色とを容易に区別できる。さらに、変換前後の色名が付加されることにより、利用者は、色変換の内容を把握できると共に、他者との情報共有等に利用できる。
【００５１】
放送局は、ニュースや天気等を伝える際、ＣＧ画像を多用している。また、衛星デジタル放送及び地上デジタル放送では、放送局はデータ放送を発信しており、これらの制作においては、画像データが利用されている。
本実施形態により、利用者が放送画面の「見辛い領域」を指定すること、又は色名を選択することで、色名出力装置１は、自動的に同色領域を同定して色変換し、変換前後の色名を出力することで、「見辛い領域」を見易くすることができる。
また、色名出力装置１は、データ放送画面において、利用者がポインタ等で指定した任意の部分の色名を出力し、情報提供できる。
【００５２】
色名出力装置１は、色度図上における各色相の領域を、各色相の境界線を近似した関数によって区分するので、色度図上の座標に基づいて、色知覚特性に応じた色名を、容易に精度良く判定できる。
また、色名出力装置１は、彩度Ｃ＊及び明度Ｖによって、色名を調整するので、細分化した色名を適切に出力できる。
【００５３】
色名出力装置１は、入力画像データ内の画素の選択により、処理対象色の指定を受け付けるので、利用者は、画像内の任意の領域を指定でき、利便性が向上する。
また、色名出力装置１は、所定の色名群からの選択により、処理対象色の指定を受け付けるので、利用者は、予め用意されたリストから、識別の難しい色名を選択することにより、画像内の同色領域を容易に把握できる。
【００５４】
色名出力装置１は、同色領域の各画素を変換前の反対色に変換、又は変換前の色と変換後の色とを交互に出力する。これにより、利用者は、同色領域を容易に把握できる。
なお、色名出力装置１は、利用者の色覚特性に応じて予め定義される変換規則に従って色変換を行ってもよい。また、色名出力装置１は、同色領域の周囲の色相等に応じて、識別が容易な色を決定してもよい。
【００５５】
［第２実施形態］
以下、本発明の第２実施形態について説明する。
本実施形態の色名出力装置１ａは、入力画像における各画素の色名を予め判定しておくことにより、利用者が指定した部分又は色名群から選択した色と同色の領域を同定し、これらの領域を別の色に変換し、変換前後の色名を画像と共に文字又は音声で出力する。
【００５６】
図５は、色名出力装置１ａの構成を示すブロック図である。
色名出力装置１ａは、指定部１１と、同定部１２ａと、変換部１３と、判定部１４ａと、出力部１５とを備える。
なお、指定部１１と、変換部１３と、出力部１５とは、第１実施形態と同様の機能を有する。
【００５７】
判定部１４ａは、入力画像データを知覚情報に変換した後、各画素の知覚情報が所定の色度図（例えば、ｘｙ色度図又はａ＊ｂ＊色度図）上で予め区分されたいずれの色相領域に属するかによって、この色相領域に予め対応付けて付与されている色名を判定する。これにより、判定部１４ａは、入力画像データと、各画素の色名に対応するラベル番号を出力する。なお、色相領域の区分及び判定方法は、第１実施形態と同様である。
【００５８】
ここで、ラベル番号は、例えば、
黒色＝１、白色＝２、
灰色＝３、暗い灰色＝４、明るい灰色＝５、
赤紫色＝６、赤色＝７、赤緑色＝８、黄色＝９、黄緑色＝１０、緑色＝１１、青緑色＝１２、青色＝１３、青紫色＝１４、紫色＝１５、
暗い赤紫色＝１６、暗い赤色＝１７、・・・
のように付与される。
【００５９】
指定部１１は、入力画像データをマウス又はタッチパネル等で利用者が指定した点の位置情報（座標等）、又は色名群から利用者が選択した色に付与されている色名（ラベル番号）を同定部１２ａへ出力する。
【００６０】
同定部１２ａは、判定部２４から出力された画素毎のラベル番号と、指定部から出力された位置情報又はラベル番号とを利用して、同一ラベル番号の領域を同定する。位置情報を利用する場合、同定部１２ａは、判定部１４ａから出力された座標毎のラベル番号を基に、指定された位置情報に対応するラベル番号と同一ラベル番号の領域を同定する。
【００６１】
変換部１３は、同定部１２ａにより同定された同色領域の画像データ（赤信号Ｒ、緑信号Ｇ、青信号Ｂのレベル情報及びＬ＊、ａ＊、ｂ＊等の知覚情報）を変換する。変換方法は、第１実施形態と同様である。
【００６２】
出力部１５は、同定部１２ａから出力された原画像の指定点の色名と、その点での変換色の色名とを、変換部１３から出力された画像データに付加して表示、又は音声で出力する。原画色と変換色とをブリンクさせる場合、出力部１５は、原画像に対する色名のみを表示してもよい。
なお、変換部１３による変換後の色名が既定のもの（白色又は黒色等）でない場合、例えば、変換部１３が反対色等を出力した場合、出力部１５は、変換後の知覚情報に基づいて、判定部１４ａの機能（第１実施形態の判定部１４）により色名を判定することとしてよい。
【００６３】
本実施形態によれば、色名出力装置１ａは、例えば、テレビの気象予報画面、データ放送画面、Ｗｅｂページに埋め込んだ画像、カメラで撮影した画像等で、利用者が指定した部分と同色の同色領域を同定し、これら同色領域を別の色に変換し、色度図上で区分された領域によって判定された変換前後の色名を画像に付加又は音声で示す。これにより、利用者は、識別し辛い色を容易に識別できる。
【００６４】
さらに、色名出力装置１ａは、放送におけるＣＧ画面等に対して、利用者から色の指定を受け付けるのに先行して、判定部１４ａにより予め各画素に色名（ラベル番号）を付与できる。したがって、画素間の色差の演算が不要となるため、色名出力装置１ａは、同定部１２ａによる処理負荷を低減できると共に、色名を出力するための全体の処理速度を高めることができる。
【００６５】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００６６】
本発明は、放送データに限らず、様々な画像データに対して適用可能である。例えば、利用者は、駅の色分けされた路線図を携帯カメラで撮影し、「見辛い部分」を指定することで、自動的に同色領域が色変換され、変換前後の色名が表示される。また、本発明は、例えば、Ｗｅｂページに埋め込まれた画像の「見辛い領域」を見易くすることにも利用できる他、色彩デザイン制作において、比較対象を色名で管理できる等の汎用性がある。
【００６７】
また、色名出力装置は、色覚特性が異なる他者に対して見え方を再現するために、色覚特性パターンに応じた色変換を行う手段を備えてもよい。これにより、色名出力装置は、例えば、画面デザイン作成等に有効利用できる。
【００６８】
本実施形態では、主に色名出力装置の構成と動作について説明したが、本発明はこれに限られず、各構成要素を備え、色名を出力するための方法、又はプログラムとして構成されてもよい。
【００６９】
さらに、色名出力装置の機能を実現するためのプログラムをコンピュータで読み取り可能な記録媒体に記録して、この記録媒体に記録されたプログラムをコンピュータシステムに読み込ませ、実行することによって実現してもよい。
【００７０】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００７１】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【００７２】
１、１ａ  色名出力装置
１１  指定部
１２、１２ａ  同定部
１３  変換部
１４、１４ａ  判定部
１５  出力部
【図１】
2015097370.tif 000003
【図２Ａ】
2015097370.tif 000004
【図２Ｂ】
2015097370.tif 000005
【図２Ｃ】
2015097370.tif 000006
【図２Ｄ】
2015097370.tif 000007
【図２Ｅ】
2015097370.tif 000008
【図２Ｆ】
2015097370.tif 000009
【図２Ｇ】
2015097370.tif 000010
【図２Ｈ】
2015097370.tif 000011
【図２Ｉ】
2015097370.tif 000012
【図２Ｊ】
2015097370.tif 000013
【図３】
2015097370.tif 000014
【図４】
2015097370.tif 000015
【図５】
2015097370.tif 000016